(57)【要約】【課題】  大型化することなく点検装置などの機能追加部品を設置することができる照明器具を提供する。【解決手段】器具本体１が下面に開口８を有する有天筒状である。点灯装置１０は、着脱可能な蓄電池１２を含み器具本体１内に配置されている。そして、器具本体１はその天部の蓄電池１２の上側の位置に凹部１４を形成し、凹部１４内に操作部付き通信部１７を収納している。操作部１６は蓄電池１２を外すことにより操作できる。蓄電池１２は器具本体１の側周面に沿って配置している。  通信部１７は電池交換記録スイッチを有し、蓄電池の交換の際のみに交換記録を入力させる操作部を設けてもよい。 【選択図】        図１
2006236918.tif 000002
【特許請求の範囲】
【請求項１】
下面に開口を有する有天筒状の器具本体と、着脱可能な消耗部品を含み前記器具本体内に配置された点灯装置とを備え、前記器具本体はその天部の前記消耗部品の上側の位置に凹部を形成し、前記凹部内に操作部付き機能追加部品を収納し、前記機能追加部品は前記操作部を前記消耗部品を外した状態で操作可能となるように配置したことを特徴とする照明器具。
【請求項２】
前記消耗部品を器具本体の側周面に沿って配置した請求項１記載の照明器具。
【請求項３】
前記機能追加部品は前記消耗部品の交換記録保存の機能を有し、消耗部品の交換の際のみに交換記録を入力させる操作部を設けた請求項１記載の照明器具。
【請求項４】
前記操作部は頻度の異なる複数の操作部からなり、前記消耗部品は貫通穴を有し、前記操作部のうち頻度の高いものを前記貫通穴に貫通する突出部を有する請求項１記載の照明器具。
【発明の詳細な説明】
【技術分野】
【０００１】
この発明は、非常用埋め込み型照明器具などの照明器具に関するものである。
【背景技術】
【０００２】
非常灯は、例えば図１０に示すように器具本体５０内に点灯装置として蓄電池５１と充電回路５２を内蔵し、停電時に蓄電池５１を電源として法令上定められた一定時間（３０分間）点灯させる。しかし、径年変化による蓄電池５１の劣化等により、必要時間の点灯が不可能となる。  
【０００３】
設置済みの非常灯に対しては定期的に点検を実施することにより、必要時間の点灯性能を確保できることを確認し、必要とあれば電池交換等の処理が必要となる。ただし点検の方法は個別に３０分ずつ点灯させる以外に方法がないため、確認には膨大な作業工数を必要とする。
【０００４】
そこで、非常灯に点検装置と通信装置を設けて自動的に点検を実施させることが考えられる。
【０００５】
しかし、非常灯は一般的に器具本体の内部にスペースが残されていないため、器具本体の拡大なしには部品の追加は不可能である。一方、非常灯は常時は点灯しないため外径は極力小さいことが望まれる。また天井深さが制限される場合があるため、埋め込み深さの拡大も望ましくない。
【０００６】
なお、別の従来例（例えば特許文献１参照）は、器具本体の上部に点検口を形成し、照明用インバータを固定した支持板を点検口に着脱可能に取付けたものであり、点灯装置を器具本体内に収納し、かつ点灯装置の点検装置や通信装置を設けたものではない。
【特許文献１】特開平８−１１１１０４号公報
【発明の開示】
【発明が解決しようとする課題】
【０００７】
したがって、この発明の目的は、大型化することなく点検装置などの機能追加部品を設置することができる照明器具を提供することである。
【課題を解決するための手段】
【０００８】
この発明の照明器具は、器具本体が下面に開口を有する有天筒状である。点灯装置は、着脱可能な消耗部品を含み前記器具本体内に配置されている。そして、前記器具本体はその天部の前記消耗部品の上側の位置に凹部を形成し、前記凹部内に操作部付き機能追加部品を収納している。前記機能追加部品は前記操作部を前記消耗部品を外した状態で操作可能となるように配置している。
【０００９】
上記構成において、前記消耗部品を器具本体の内周面に沿って配置している。
【００１０】
上記構成において、前記機能追加部品は前記消耗部品の交換記録保存の機能を有し、消耗部品の交換の際のみに交換記録を入力させる操作部を設けている。
【００１１】
上記構成において、前記操作部は頻度の異なる複数の操作部からなり、前記消耗部品は貫通穴を有し、前記操作部のうち頻度の高いものを前記貫通穴に貫通する突出部を有する。
【発明の効果】
【００１２】
この発明の照明器具によれば、器具本体の天部に凹部を形成し、凹部に機能追加部品を追加し、消耗部品を外すことにより操作部を操作するため、器具本体を大型化することなく機能追加部品を追加することができる。すなわち、器具本体の外径の拡大を防止し、凹部により天板の外側に凸部が形成されるが、器具本体の埋め込み深さの増加を一部に抑えることができるので、例えば天井裏の梁等を回避することができ、天井裏の制限の影響を受けない。また機能追加部品が通信装置とすると、遠隔より自動点検することができるため、従来の煩雑な点検作業を大幅に簡単にすることができる。さらに従来の器具をほぼ流用できるため、製造コストを低減することができる。
【００１３】
前記消耗部品を器具本体の内周面に沿って配置すると、凸部が梁を回避するように器具本体を水平回動することができる。
【００１４】
前記機能追加部品は前記消耗部品の交換記録保存の機能を有し、前記消耗部品の交換の際のみに交換記録を入力させる操作部を設けると、器具本体を大型化することなく交換記録保存の機能を追加できる。
【００１５】
前記操作部は頻度の異なる複数の操作部からなり、前記消耗部品は貫通穴を有し、前記操作部のうち頻度の高いものを前記貫通穴に貫通する突出部を有するため、頻度の高い操作部は消耗部品を外すことなく操作できるので操作性が向上する。
【発明を実施するための最良の形態】
【００１６】
この発明の第１の実施の形態を図１から図４により説明する。図１および図２において、器具本体１は、天井２の埋め込み穴３に配置されている。器具本体１は有天筒状であり、下面開口８を着脱自在な前枠４で塞ぎ、前枠４に反射板５を載せ、反射板５にランプソケット６を配置し、ランプソケット６にランプ７を装着している。
【００１７】
器具本体１の内部において、天部９および周壁に沿ってランプソケット６に給電する点灯装置１０を配置している。点灯装置１０は充電回路１１、消耗部品である交換可能な蓄電池１２および蓄電池１２で所定時間ランプ７を点灯させる点検制御部を含み、点検制御部は非常灯制御部基板内に設けている。そして充電回路１１および蓄電池１２等は器具本体１の開口面と平行な方向の相互間隔および器具本体１の内周面との間隔が手が挿入できない程度に近接配置されている。
【００１８】
器具本体１の蓄電池１２の位置の天部９に内面に凹部１４、外面に凸部１５となる収納空間を設け、その内側に機能追加部品として操作部付き通信部１７を設けている。操作部１６は器具設置後の設定の修正が必要となることなどから、施工状態で設定等の操作できるようにするために設けている。この操作部１６は器具を天井に取付けた状態で蓄電池１２を外したときに操作・視認できるように通信部１７の下面に設けている。操作部１６として、例えばダイヤルなどを用い、例えば器具の非常点灯を遠隔制御で点検するため、操作部１６により器具ごとの認識番号（アドレス）を設定する。
【００１９】
図３は、器具の電気回路のブロック図である。通常時は交流電源Ｅに接続して点灯装置の非常灯および点検の制御部１８によりランプソケット６および蓄電池１２に電力を供給する。非常時は蓄電池１２に接続してランプソケット６に給電する。通信部１７は、器具の認識番号による通信信号でシステムの制御盤から点検指示を受けた場合、器具に点検実施命令を発信する。これを受けて制御部１８は蓄電池１２による点灯を行う。また通信部１７はこのときの器具の点灯時間等の動作状態をセンサやタイマ等により検出・計測し、その点検結果を通信部１７より通信信号でシステムの制御盤へ送信する。３２は器具取付状態で操作・視認できる点検操作部であり、器具本体１に設けられている。３２ａは２秒間長押しすることによって例えば３０分間停電状態を維持する法令時間点灯点検スイッチ、３２ｂは法令時間点灯点検スイッチ３２ａの操作後、３０分経過時点で電池電圧が基準値でない場合点滅し、問題なければ消灯状態となり、また３０分以降であればいつでも電池の良否が確認可能な表示部であり、いずれも前枠４より露出している。３３は引き操作することによって擬似的に停電状態となり、例えば３０分間の非常点灯を確認するためには３０分間引き続けることで、３０分後の状態確認が可能となる通常の点検スイッチ、３４は蓄電池１２が充電されかつランプ７が正しく装着されているとき点灯し、その他の状態では消灯している充電モニタであり、前枠４より露出している。
【００２０】
図４は凸部１５と天井裏の梁２３との関係を示している。凸部１５は天部９の器具本体１の側周面に沿った配置となるように天部９の端部に配置しているため、施工のとき梁２３の位置を避けるように器具本体１を水平回動して設置することができる。例えば図４（ｃ）（ｄ）のように天部９の中央に凸部１５と梁２３があると器具本体１を水平回動しても梁２３が常に当たるため施工不能となる。
【００２１】
第１の実施の形態によれば、通信部１７の追加により、システムの制御盤で点検作業が可能となるので、非常灯の点検作業が大幅に簡単になる。また通信部１７を追加するために器具の例えば埋め込み穴を大きくする必要がないので、意匠低下を防止できる。さらに埋め込み深さの増加を一部に抑えることができるので、図１（ａ）の破線で示す範囲にある梁等を避けることができる。また蓄電池１２を取り外すことにより操作部１６を操作することができるので、十分な操作性と意匠確保を両立できる。
【００２２】
この発明の第２の実施の形態を図５により説明する。すなわち、図５（ａ）は操作部１６として電池交換記録スイッチ２５を追加したものである。蓄電池１２の交換がなされたとき、電池交換記録スイッチ２５を操作してその日付等を通信部１７のメモリに記録するとともに、その日付を表示部（図示せず）に表示させる。これにより、蓄電池１２の電池交換時期の目安を判断でき、有効な機能となる。また電池交換記録スイッチ２５が蓄電池１２を外したときのみ操作できる構成にすると、誤動作を防止できるとともに、通常時の意匠を損ねることがない。
【００２３】
図５（ｂ）は蓄電池１２に交換スイッチ操作部２６を設け、蓄電池１２を外すと交換記録スイッチ２５が自動的に操作され、上記したように通信部１７に交換記録が残る構成である。
【００２４】
また付加機能として蓄電池１２の交換を行った際、その旨を例えば電池交換記録スイッチ２５によりシステムの制御盤に送信し、制御盤ではその信号と内部の時計データにより、電池交換時期の記録を残すことも可能である。
【００２５】
この発明の第３の実施の形態を図６により説明する。すなわち、操作部１６には複数の操作部があり、そのうち頻度の高いものに対応して蓄電池１２に貫通穴２８を設け、頻度の高い操作部１６に貫通穴２８を貫通する突出部として回転軸２９を設けている。これにより、前枠４を外しただけで蓄電池１２を外すことなく回転軸２９により、操作部１６を操作することができる。
【００２６】
非常灯の点検項目には外観検査等も含まれるため、蓄電池１２を外さない状態においても点検記録を残すことを求められることがある。そこで、頻度の異なる操作部１６を複数有する場合、頻度の高い操作部１６について、蓄電池１２に貫通穴２８を設けて頻度の高い操作部１６を貫通させ、蓄電池１２を外すことなく、蓄電池１２の表面にて操作すると操作性を向上できる。通信部１７ではこの操作部１６の操作結果をメモリに保存したり、システムの制御盤に送信する。
【００２７】
図７はこの第３の実施の形態の変形形態として、蓄電池１２に回転軸２９を内蔵させ、蓄電池１２の取付けにより回転軸２９の端部が対応する操作部１６と係合するように構成している。これにより電池装着の際に電池表面から操作部１６の操作を可能とする。
【００２８】
この発明の第４の実施の形態を図８により説明する。すなわち、第３の実施の形態において、蓄電池１２の下面に操作部１６の操作に必要な表示部例えば目盛り３０を設けたものである。
【００２９】
蓄電池１２を利用することにより、操作部１６に表示スペースがなくても表示面積が確保しやすく、視認性が向上し、また操作が的確に行えるので操作性が向上する。
【００３０】
この発明の第５の実施の形態を図９により説明する。すなわち、第１の実施の形態において、機能追加部品である通信部１７の操作部１６が側面に設けられている形態である。蓄電池１２を取り外した状態で凹部１５内の操作部１６を矢印のように操作することができる。なお通信部１７の下面にも操作部があってもよい。
【００３１】
なお、この発明において、消耗部品として蓄電池のほか、ランプなどが含まれる。
【図面の簡単な説明】
【００３２】
【図１】（ａ）はこの発明の第１の実施の形態の概略断面図、（ｂ）はその下方からみた斜視図である。
【図２】（ａ）は上方からはみた斜視図、（ｂ）は枠および消耗部品を外した状態の底面図である。
【図３】照明器具の回路ブロック図である。
【図４】（ａ）は梁と突起部との関係を示す平面図、（ｂ）はその断面図、（ｃ）は突起部が中央にある場合の梁と突起部との関係を示す平面図、（ｄ）はその断面図である。
【図５】（ａ）は第２の実施の形態の器具本体の底面図、（ｂ）は部分断面図である。
【図６】（ａ）は第３の実施の形態の器具本体の断面図、（ｂ）は底面図である。
【図７】（ａ）はその変形形態の器具本体の断面図、（ｂ）は底面図である。
【図８】第４の実施の形態の器具本体の底面図である。
【図９】第５の実施の形態の器具本体の部分断面図である。
【図１０】従来例の概略断面図である。
【符号の説明】
【００３３】
１    器具本体    
２    天井
３    埋め込み穴
４    前枠
６    ランプソケット
７    ランプ
８    開口
９    天部
１０    点灯装置
１１    充電回路
１２    蓄電池
１４    凹部
１５    凸部
１６    操作部
１７    通信部
２５    電池交換記録スイッチ  
２８    貫通穴
２９    回転軸    
３０    目盛り
【図１】
2006236918.tif 000003
【図２】
2006236918.tif 000004
【図３】
2006236918.tif 000005
【図４】
2006236918.tif 000006
【図５】
2006236918.tif 000007
【図６】
2006236918.tif 000008
【図７】
2006236918.tif 000009
【図８】
2006236918.tif 000010
【図９】
2006236918.tif 000011
【図１０】
2006236918.tif 000012